(57)【要約】【課題】  本発明は押捺指紋パターンの面圧力伝達用可撓性シートに関し、特に指紋の凹凸を正確に検出するためにセンサー部表面に載置される感圧シートをできるだけ極薄とした面圧力伝達用可撓性シートである。【解決手段】  センサー部表面に載置される感圧シートが、複数の超極薄ＰＥＴフィルム等の積層体で形成された可撓性シートであって、該積層体中に導電性物質の蒸着膜が介在挟持されていることを特徴とする押捺指紋パターンの面圧力伝達用可撓性シートを提供する。【選択図】図２
2012189564.tif 000002
【特許請求の範囲】
【請求項１】
センサー部表面に載置される感圧シートが、複数の超極薄ＰＥＴフィルム等の積層体で形成された可撓性シートであって、該積層体中に導電性物質の蒸着膜が介在挟持されていることを特徴とする押捺指紋パターンの面圧力伝達用可撓性シート。
【請求項２】
積層体が下層から順次に、超極薄ＰＥＴフィルム、両面粘着テープ、超極薄ＰＥＴフィルム、導電性物質の蒸着膜、微粘着ＰＥＴ表面保護テープによって構成されており、導電性物質の蒸着膜が金等の蒸着膜であることを特徴とする請求項１記載の押捺指紋パターンの面圧力伝達用可撓性シート。
【請求項３】
積層体各層の好適膜厚が、超極薄ＰＥＴフィルム６μ、両面粘着テープ１０μ、超極薄ＰＥＴフィルム２μ、金の蒸着膜３００Å、微粘着ＰＥＴ表面保護テープ１０μ〜１２μの膜厚であることを特徴とする請求項１記載の押捺指紋パターンの面圧力伝達用可撓性シート。
【発明の詳細な説明】
【技術分野】
【０００１】  本発明は押捺指紋パターンの面圧力伝達用可撓性シートに関し、特に指紋の凹凸を正確に検出するためにセンサー部表面に載置される感圧シートをできるだけ極薄とした面圧力伝達用可撓性シートである。
【背景技術】
【０００２】  本発明者は、先の特許出願において、携帯通信端末の認証決済システムおよびその認証決済方法を提案したが、それは携帯通信端末で検出した指紋情報の認証をインターネット上に設けた指紋登記所にて行い、適正かつ確実な電子認証、電子決済を行えるものであって、端末等の不正使用を防止し、操作性の面でも優れた画期的な携帯通信端末の認証決済システムおよびその認証決済方法を提供するものであった。【０００３】  更に本発明者は、前記せるシステムの確実な実行のために、指紋センサー部において、確実な押捺指紋パターンの面圧力を伝達できる可撓性シートを実現させる研究を進めていく必要性があった。【０００４】  これまでの生体認証に利用される生体情報で最も確実で究極的な認証手段はＤＮＡではあるが、指紋の認証は最も使用頻度が高く信頼性の高い認証方式であって、数多くの指紋センサー装置が提案されており、一例として下記の特許公報を挙げることができる。
【先行技術文献】
【特許文献】
【０００５】
【特許文献１】  特開平５−６１９６６号公報
【特許文献２】  特許第４２６６３６３号公報
【発明の概要】
【発明が解決しようとする課題】
【０００６】  前記せる特開平５−６１９６６号公報は、複数個の圧電薄膜素子をマトリックス状に配置して、各圧電薄膜素子に加えられた圧力を電気出力信号に変換することにより、指の指紋情報を検出する指紋センサーであり、前記せる特許第４２６６３６３号公報は、指を押しつけたときの圧力の強弱から指紋の紋様を検出させる指紋感知部と指紋の紋様の凹凸による圧力の違いを電位差として取出す検出回路からなる装置にタッチパネル機能を付随した感圧式指紋センサーであるが、いずれも指紋センサー部に載置して確実な押捺指紋パターンの面圧力を伝達できる可撓性シートを特別に設けるものではなかった。【０００７】  また、市販の指紋センサーを使用しても乾燥指や濡れ指の場合の指紋パターンの正確度に問題があり、耐水性や外部光源の影響もあり、指接触部の耐摩耗性や変形にも問題があったので、これらの問題を解決する必要があった。
【課題を解決するための手段】
【０００８】  指紋の凹凸を正確に検出するには可撓性シートをできる限り超極薄にし、しかも確実な可撓性でなければならならず、検出対象となる乾燥指、濡れ指、傷指、汚れ指、静電気帯電指の場合でも十分に対応でき、指紋パターンを正確に検出することができるものでなければならなかった。【０００９】  本発明は前記せるような課題に応えるために鋭意研究の結果、これらの課題を解決するための知見を得ることができた。【００１０】  下記の構成からなる可撓性シートで、上記の課題を解決することのできる知見を見出したものであり、その特徴はセンサー部表面に載置される感圧シートが複数の超極薄ＰＥＴフィルム等の積層体で形成された可撓性シートであって、該積層体中に導電性物質の蒸着膜が介在挟持されていることを特徴とし、積層体が下層から順次に、超極薄ＰＥＴフィルム、両面粘着テープ、超極薄ＰＥＴフィルム、導電性物質の蒸着膜、微粘着ＰＥＴ表面保護テープによって構成されている可撓性シートである。【００１１】  前記せる導電性物質の蒸着膜は金等の蒸着膜であることが望ましい。また、積層体の各層が、超極薄ＰＥＴフィルム６μ、両面粘着テープ１０μ、超極薄ＰＥＴフィルム２μ、導電性物質の蒸着膜３００Å、微粘着ＰＥＴ表面保護テープ１０μ〜１２μの膜厚で構成されている可撓性シートが好適な押捺指紋パターンの面圧力伝達用可撓性シートとして有用であるいう知見を得た。【００１２】  前記せる押捺指紋パターンの面圧力伝達用可撓性シートは優れた可撓性と復元性を有しており、積層体中に介在挟持されている金等の蒸着膜は、トランジスタまたはＴＦＴ（薄膜トランジスタ）の一部電極に作用し、圧力−電気変換する機能も備え、また、蒸着部はピンホールを皆無とし、湿気や水分の侵入を防ぐとともに、外部の光源を完全に遮断してセンサー部に対する光の影響を防止することもできる。
【発明の効果】
【００１３】  以上説明したように本発明に係る押捺指紋パターンの面圧力伝達用可撓性シートの構成によれば、乾燥指、濡れ指、傷指、汚れ指、静電気帯電指の場合でも対応でき、指紋パターンを正確に検出することができる優れた効果を得ることができた。
【図面の簡単な説明】
【００１４】
【図１】  可撓性シートを介して指で感圧センサー部を押圧した略示断面図である。
【図２】  可撓性シートの分解斜視図である。
【発明を実施するための形態】
【００１５】  指紋の凹凸を正確に検出するには可撓性シート２をできる限り超極薄にしなければならず、しかも確実な可撓性を付与しなければならないので、本発明は多数の実験に基づいて以下の構成に達することができたものであり、その結果この積層体の構造によって最も正確に指紋３１の押捺指紋パターンをセンサー部１に伝達することのできる知見を得たものである。
【００１６】  以下、図面に基づき本発明を具体的に説明する。図面において、図１は可撓性シートを介して指で感圧センサー部を押圧した略示断面図であり、図２は可撓性シートの分解斜視図である。図１に示すように指３を、可撓性シート２を介してセンサー部１に押し付けると、可撓性シート２は正確に指紋３１の押捺指紋パターンをセンサー部に伝達することができる。
【００１７】  図２に示すような実施例によれば、可撓性シート２はセンサー部１に載置される下層より順に、積層体の各層が、図番２１の超極薄ＰＥＴフィルム６μ、図番２２の両面粘着テープ１０μ、図番２３の超極薄ＰＥＴフィルム２μ、図番２４の金等の蒸着膜３００Å、図番２５の微粘着ＰＥＴ表面保護テープ１０μ〜１２μの膜厚で構成されて可撓性シートが最も好適に押捺指紋パターンをセンサー部１に伝達することができた。
【００１８】  前記の微粘着ＰＥＴ表面保護テープ２５は、指紋残像が残らない表面処理が施されており、耐摩耗性にも優れた表面に形成されている。
【００１９】  なお、本発明の可撓性シート２を載置するセンサー部１の構造は複数個の圧電薄膜素子をマトリックス状に配置し各圧電薄膜素子に加えられた圧力を電気出力信号に変換することにより指の指紋情報を検出する構造や、指を押しつけたときの圧力の強弱から指紋の紋様を検出させる指紋感知部と指紋の紋様の凹凸による圧力の違いを電位差として取出す検出回路からなるようなセンサー部の構造等に限らず、その他のセンサー部の構造であっても本発明の押捺指紋パターンの面圧力伝達用可撓性シートは多様なセンサー部に対して幅広く応用することができるものである。
【産業上の利用可能性】
【００２０】  生体認証には多くの生体情報を利用した認証装置が使用されつつあり、指紋認証も多く利用されているが、残留指紋をゼラチンに移し取って人工指を作り、人工指で認証を通過させるような事件もおきているので、より正確な押捺指紋パターンをセンサー部に伝達することが必要であり、本発明の押捺指紋パターンの面圧力伝達用可撓性シートは産業上の利用価値が極めて高いものである。また、多様なセンサー部の構造にも利用できる利点もある。
【符号の説明】
【００２１】  １  センサー部
２  可撓性シート
２１  超薄膜ＰＥＴフィルム
２２  両面接着フィルム
２３  超薄膜ＰＥＴフィルム
２４  蒸着膜
２５  微粘着ＰＥＴ表面保護テープ
３  指
３１  指紋面
【図１】
2012189564.tif 000003
【図２】
2012189564.tif 000004